(57)【要約】【課題】天井板の上側に大きな空間を必要としないとともに、固定部分に大きな負荷がかかりにくい天井装置を提供する。【解決手段】天井装置１０は、緩衝用の空間ＢＳを介して隣接して、少なくとも一方が水平方向に揺動可能に立設する一対の隣接建物ＢＤ１，ＢＤ２の天井部ＢＤ１ａ，ＢＤ２ａの間を覆うものであり、一方の隣接建物ＢＤ１の躯体に固定され、一方の隣接建物ＢＤ１の天井部ＢＤ１ａより上側で緩衝用の空間ＢＳに配置される吊下げ部材１１と、一対の隣接建物の天井部ＢＤ１ａ，ＢＤ２ａの間に移動可能に配置される可動天井部２０と、吊下げ部材１１と可動天井部２０とを連結する複数のリンク部材３１を有して、可動天井部２０を揺動可能に吊下げ部材１１に支持させる平行クランク機構３０とを備えた。【選択図】図２
2020200688.tif 000002
【特許請求の範囲】
【請求項１】
緩衝用の空間を介して隣接して、少なくとも一方が水平方向に揺動可能に立設する一方と他方よりなる一対の隣接建物の天井部の間を覆う天井装置であって、
前記一方の隣接建物の躯体に固定され、前記一対の隣接建物の天井部より上側で前記緩衝用の空間に配置される吊下げ部材と、
前記一対の隣接建物の天井部の間にて前記一対の隣接建物の間を移動可能に配置される可動天井部と、
前記吊下げ部材と前記可動天井部とを連結する複数のリンク部材を有して、前記可動天井部を前記一対の隣接建物の間で揺動可能に前記吊下げ部材に支持させる平行クランク機構とを備えたことを特徴とする天井装置。
【請求項２】
請求項１に記載の天井装置において、
前記一方の隣接建物の天井部の上側には前記緩衝用の空間と連続して前記可動天井部を退避させる退避空間を備えたことを特徴とする天井装置。
【請求項３】
請求項２に記載の天井装置において、
前記他方の隣接建物の天井部の上側には前記緩衝用の空間と連続して前記可動天井部を収納する収納空間を備えたことを特徴とする天井装置。
【請求項４】
請求項１〜３の何れか１項に記載の天井装置において、
前記他方の隣接建物の天井部の前記一方の隣接建物側の端部と、前記可動天井部の前記他方の隣接建物側の端部との少なくとも一方には前記他方の隣接建物から前記可動天井部に近づくにしたがって下側に傾斜する案内スロープを設けたことを特徴とする天井装置。
【請求項５】
請求項１〜４の何れか１項に記載の天井装置において、
前記吊下げ部材は第１吊下げ部材と、前記一対の隣接建物が隣接する方向と水平方向に直交する直交方向の前記第１吊下げ部材の両側で前記第１吊下げ部材と離間して配置される一対の第２吊下げ部材を備え、
前記第１吊下げ部材と前記第２吊下げ部材の一方には前記複数のリンク部材に含まれて前記一方の隣接建物に近い位置で前記可動天井部を前記吊下げ部材に支持させる第１リンク部材と、
前記第１吊下げ部材と前記第２吊下げ部材の他方には前記複数のリンク部材に含まれて前記第１リンク部材より前記一方の隣接建物に遠い位置で前記可動天井部を前記吊下げ部材に支持させる第２リンク部材とを備えたことを特徴とする天井装置。
【発明の詳細な説明】
【技術分野】
【０００１】
本発明は、緩衝用の空間を介して隣接して、少なくとも一方が水平方向に揺動可能に立設する一方と他方よりなる一対の隣接建物の天井部の間を覆う天井装置に関する。
【背景技術】
【０００２】
特許文献１には、緩衝用の空間を介して隣接して、少なくとも一方が水平方向に揺動可能に立設する一対の隣接建物の間を覆う伸縮可能な天井継手構造の発明が開示されている。伸縮可能な天井継手構造は、緩衝用の空間を介して隣接する２つの天井材のうちの一方に継手材の幅方向の一端部をヒンジによって角変位自在に連結し、継手材の幅方向の他端部を索条によって吊り下げていて、継手材は両側の隣接建物の天井材と同一平面をなしている。継手材の幅方向の他端部には他端側に進むにつれて上方に傾斜する傾斜案内部が設けられ、他方の天井材には傾斜案内部と対向する位置に傾斜案内部を移動可能に支持する案内ローラが設けられている。
【０００３】
この天井継手構造を採用した一対の隣接建物が近接方向に相対変位すると、継手材の幅方向の他端部が幅方向の一端部に設けられたヒンジによって上側に回動し、継手材の傾斜案内部が案内ローラによって上側に案内されて、継手材の幅方向の他端部はこれに対向する天井材の上側に移動して、一対の隣接建物の各天井材が近接する方向への変位が許容される。また、一対の隣接建物が離間方向に相対変位すると、継手材の幅方向の他端部は索条によって吊り下げられた状態で、継手材の幅方向の他端部はこれに対向する天井材と離間し、一対の隣接建物の各天井材が離間する方向への変位が許容される。
【０００４】
特許文献２には、緩衝用の空間を介して隣接して、少なくとも一方が水平方向に揺動可能に立設する一対の隣接建物の間を覆う天井用目地カバー装置の発明が開示されている。天井用目地カバー装置は、一方に天井板を備えた隣接建物躯体相互間の天井板の側部の目地を覆うカバー板を備え、カバー板を支持する支持枠体の一端が他方の隣接建物躯体にスライド機構を介して上方向に退避移動可能に連結されている。カバー板の一方の隣接建物側の端縁には一方の隣接建物側に進むにつれ上方に傾斜する傾斜面が形成され、傾斜面に対向する一方の隣接建物の天井板の端縁に配設された突き合わせ部材には傾斜面と同方向に傾斜する押し上げ斜面が形成されている。また、スライド機構は上側に進むにつれて一方の隣接建物躯体から離れる方向に傾斜して配設されている。
【０００５】
この天井用目地カバー装置を採用した一対の隣接建物が近接方向に相対変位すると、カバー板の一方の隣接建物側の端縁に形成された傾斜面が一方の隣接建物の天井板の端縁の押し上げ斜面に押され、カバー板を支持する支持枠体はカバー板とともにスライド機構によって一方の隣接建物の天井板より上側まで上昇し、カバー板は一方の隣接建物の天井板の上側に移動し、一対の隣接建物が近接する方向への変位が許容される。一対の隣接建物が離間方向に相対変位すると、カバー板の一方の隣接建物側の端縁が一方の隣接建物の天井板の端縁から離間し、一対の隣接建物が離間する方向への変位が許容される。
【先行技術文献】
【特許文献】
【０００６】
【特許文献１】実用新案登録第２５８２４９５号公報
【特許文献２】実用新案登録第３１５７８７９号公報
【発明の概要】
【発明が解決しようとする課題】
【０００７】
特許文献１の天井継手構造においては、継手材の幅方向の一端部がヒンジによって回動可能に連結されており、継手材の幅方向の他端部は幅方向の一端部のヒンジを支点として上側に回動するため、一対の隣接建物の近接方向への相対変位が大きいときには、継手材の幅方向の他端部が幅方向の一端部のヒンジを支点として上側に大きく回動することになり、継手材が天井板の上側に回動するスペースを大きく確保しておく必要があった。また、継手材がヒンジによって各変位自在に連結されているが、継手材が回動するときに、継手材と建物躯体との取付部分に大きな負荷が生じていた。
【０００８】
特許文献２の天井用目地カバー装置はスライド機構によってカバー板を一方の隣接建物の天井板に干渉しない位置まで上昇させ、カバー板を一方の隣接建物の天井板の上側に退避させているので、特許文献１の天井継手構造のように天井板の上側に大きなスペースを確保する必要はないが、天井板の上側にカバー板の幅と同じスペースを必要することになっている。また、他方の建物躯体にスライド機構を傾くことなく精度を高く取り付けていないと、カバー板の支持枠体がスライド機構に対して所謂かみが発生し、カバー板を上昇させことができなくなるおそれがあった。また、カバー板がスライド機構によって上側に移動するときには、スライド機構にはカバー板を支持する支持枠体から大きな荷重が加えられることになり、スライド機構を他方の建物躯体に強固に固定できていないと、スライド機構を他方の建物躯体に固定する金具が外れるおそれや、スライド機構を構成するレールが曲がるおそれがあった。本発明は、天井板の上側に大きな空間を必要としないとともに、固定部分に大きな負荷がかかりにくい天井装置を提供することを目的とする。
【課題を解決するための手段】
【０００９】
本発明は上記課題を解決するため、緩衝用の空間を介して隣接して、少なくとも一方が水平方向に揺動可能に立設する一方と他方よりなる一対の隣接建物の天井部の間を覆う天井装置であって、一方の隣接建物の躯体に固定され、一対の隣接建物の天井部より上側で緩衝用の空間に配置される吊下げ部材と、一対の隣接建物の天井部の間にて一対の隣接建物の間を移動可能に配置される可動天井部と、吊下げ部材と可動天井部とを連結する複数のリンク部材を有して、可動天井部を一対の隣接建物の間で揺動可能に吊下げ部材に支持させる平行クランク機構とを備えたことを特徴とする天井装置を提供するものである。
【００１０】
上記のように構成した天井装置においては、一方の隣接建物の躯体に固定され、一方の隣接建物の天井部より上側で緩衝用の空間に配置される吊下げ部材と、一対の隣接建物の天井部の間にて一対の隣接建物の間を移動可能に配置される可動天井部と、吊下げ部材と可動天井部とを連結する複数のリンク部材を有して、可動天井部を一対の隣接建物の間で揺動可能に吊下げ部材に支持させる平行クランク機構とを備えたので、一対の隣接建物が近接方向に相対変位したときに、可動天井部は他方の隣接建物の天井部に押され、可動天井部が一方の隣接建物側に揺動するが、可動天井部は平行クランク機構によって揺動するため、吊下げ部材には局部的に大きな負荷がかかりにくくなり、天井装置が破損しにくくなる。
【００１１】
上記のように構成した天井装置においては、一方の隣接建物の天井部の上側には緩衝用の空間と連続して可動天井部を退避させる退避空間を備えるのが好ましい。このようにしたときには、一対の隣接建物が近接方向に相対変位すると、可動天井部は一方の隣接建物の天井部の上側の退避空間に退避移動して、一対の隣接建物が近接する方向への変位が許容される。上記のように構成した天井装置においては、他方の隣接建物の天井部の上側には緩衝用の空間と連続して可動天井部を収納する収納空間を備えるのが好ましい。このようにしたときには、一対の隣接建物が近接方向にさらに相対変位すると、退避空間に退避移動した可動天井部は他方の隣接建物の天井部の上側の収納空間に移動して、一対の隣接建物が近接する方向への変位がさらに許容される。このように、一方の隣接建物の天井部の上側に退避空間と、他方の隣接建物の天井部の上側に収納空間とを設けたことで、可動天井板は一方の隣接建物の天井部の上側と他方の隣接建物の天井部の上側との両方に収納されるため、一方と他方の隣接建物の天井部の互いに対向する位置で突出する部分を短くすることができる。
【００１２】
上記のように構成した天井装置においては、他方の隣接建物の天井部の一方の隣接建物側の端部と、可動天井部の他方の隣接建物側の端部との少なくとも一方には他方の隣接建物から可動天井部に近づくにしたがって下側に傾斜する案内スロープを設けるのが好ましい。このようにしたときには、可動天井部が他方の隣接建物の天井部に押されたときに、可動天井部は案内スロープによって案内されて上側に押し上げられやすくすることができる。
【００１３】
上記のように構成した天井装置においては、吊下げ部材は第１吊下げ部材と、一対の隣接建物が隣接する方向と水平方向に直交する直交方向の第１吊下げ部材の両側で第１吊下げ部材と離間して配置される一対の第２吊下げ部材を備え、第１吊下げ部材と第２吊下げ部材の一方には複数のリンク部材に含まれて一方の隣接建物に近い位置で可動天井部を吊下げ部材に支持させる第１リンク部材と、第１吊下げ部材と第２吊下げ部材の他方には複数のリンク部材に含まれて第１リンク部材より一方の隣接建物に遠い位置で可動天井部を吊下げ部材に支持させる第２リンク部材とを備えるようにしてもよい。
【図面の簡単な説明】
【００１４】
【図１】本発明の天井装置を一対の隣接建物の天井部の間を覆うようにしたときの斜め上側から見たときの斜視図である。
【図２】図１の側面概略図である。
【図３】他方の隣接建物が一方の隣接建物に図２の状態より近づいたときの側面概略図である。
【図４】他方の隣接建物が一方の隣接建物に図３の状態よりもさらに近づいたときの側面概略図である。
【図５】他方の隣接建物が一方の隣接建物に図２の状態よりも離れたときの側面概略図である。
【図６】第１変形例の図１に相当する斜視図である。
【図７】第２変形例の図１に相当する斜視図である。
【発明を実施するための形態】
【００１５】
以下に、本発明の天井装置の一実施形態を図面を参照して説明する。図１に示したように、本発明の天井装置１０は、緩衝用の空間ＢＳを介して隣接して、少なくとも一方が水平方向に揺動可能に立設する一方の隣接建物ＢＤ１と他方の隣接建物ＢＤ２（一対の隣接建物ＢＤ１，ＢＤ２）の天井部ＢＤ１ａ，ＢＤ２ａの間を覆うものである。緩衝用の空間ＢＳは、一対の隣接建物ＢＤ１，ＢＤ２が近接方向に相対変位したときに、一対の隣接建物ＢＤ１，ＢＤ２が衝突するのを防ぐための空間である。この実施形態では、他方の隣接建物ＢＤ２は緩衝用の空間ＢＳを介して隣接建物ＢＤ１と隣接する位置で免震機構によって水平方向に揺動可能に立設しており、一方の隣接建物ＢＤ１に天井装置１０が固定されている。
【００１６】
図２に示したように、天井装置１０が固定されている一方の隣接建物ＢＤ１の天井部ＢＤ１ａの上側には緩衝用の空間ＢＳと連続する退避空間ＢＤ１ｂが設けられており、退避空間ＢＤ１ｂには後述する可動天井部２０が退避可能となっている。他方の隣接建物ＢＤ２の天井部ＢＤ２ａの上側には緩衝用の空間ＢＳと連続する収納空間ＢＤ２ｂが設けられており、収納空間ＢＤ２ｂには吊木等の構造材が配設されずに後述する可動天井部２０が収納可能となっている。他方の隣接建物ＢＤ２の天井部ＢＤ２ａには一方の隣接建物ＢＤ１側の端部に案内スロープＢＤ２ｃが設けられており、案内スロープＢＤ２ｃは一対の隣接建物ＢＤ１，ＢＤ２が近接方向に相対変位したときに、可動天井部２０を一方の隣接建物ＢＤ１側で斜め上方に回動させる機能を有している。
【００１７】
図１及び図２に示したように、天井装置１０は一方の隣接建物ＢＤ１の躯体（構造体）に固定され、一方の隣接建物ＢＤ１の天井部ＢＤ１ａより上側で緩衝用の空間ＢＳに配置される吊下げ部材１１と、一対の隣接建物ＢＤ１，ＢＤ２の天井部ＢＤ１ａ，ＢＤ２ａの間にて一対の隣接建物ＢＤ１，ＢＤ２の間を移動可能に配置される可動天井部２０と、吊下げ部材１１と可動天井部２０とを連結する複数のリンク部材３１を有して、可動天井部２０を一対の隣接建物ＢＤ１，ＢＤ２の間で移動させる平行クランク機構３０とを備えている。
【００１８】
吊下げ部材１１は可動天井部２０を吊り下げるためのものであり、この実施形態では角パイプ材が用いられている。吊下げ部材１１は一対の隣接建物ＢＤ１，ＢＤ２の隣接方向を長手方向として延出しており、一方の隣接建物ＢＤ１の躯体から緩衝用の空間ＢＳの幅方向の中間部まで延出している。吊下げ部材１１は一対の隣接建物ＢＤ１，ＢＤ２の隣接方向と水平方向に直交する直交方向に互いに離間する３箇所に固定されている。
【００１９】
可動天井部２０は一対の隣接建物ＢＤ１，ＢＤ２の天井部ＢＤ１ａ，ＢＤ２ａの間の緩衝用の空間ＢＳを覆うようにしたものである。可動天井部２０は、一対の隣接建物ＢＤ１，ＢＤ２の天井部ＢＤ１ａ，ＢＤ２ａの間にて一対の隣接建物ＢＤ１，ＢＤ２の間を移動可能に配置され、平行クランク機構３０によって水平状態を維持した状態で揺動可能（移動可能）に支持されている。可動天井部２０は、野縁受け２１と、野縁受け２１に固定された野縁２２と、野縁２２に固定された可動天井板２３とを備えている。
【００２０】
野縁受け２１は吊下げ部材１１に平行クランク機構３０のリンク部材３１によって回動可能に支持されている。野縁受け２１は一対の隣接建物ＢＤ１，ＢＤ２の隣接方向を長手方向として延出しており、一対の隣接建物ＢＤ１，ＢＤ２の天井部ＢＤ１ａ，ＢＤ２ａの間の緩衝用の空間ＢＳの幅と略同じ長さとなっている。野縁受け２１は吊下げ部材１１の真下（下側）にて、一対の隣接建物ＢＤ１，ＢＤ２の隣接方向と水平方向に直交する直交方向で互いに離間する３箇所に配設されている。野縁受け２１の下側には野縁２２が固定されており、野縁２２は角パイプ材が採用されている。野縁２２は一対の隣接建物ＢＤ１，ＢＤ２の隣接方向と水平方向に直交する直交方向を長手方向として延び、一対の隣接建物ＢＤ１，ＢＤ２の隣接方向で互いに離間した３箇所に固定されている。
【００２１】
野縁２２の下側には可動天井板２３が固定されており、可動天井板２３は一対の隣接建物ＢＤ１，ＢＤ２の天井部ＢＤ１ａ，ＢＤ２ａの間の緩衝用の空間ＢＳを覆っている。可動天井板２３の他方の隣接建物ＢＤ２側の端部には案内スロープ２３ａが設けられており、案内スロープ２３ａは他方の隣接建物ＢＤ２から可動天井部２０に近づくにしたがって下側に傾斜している。案内スロープ２３ａは他方の隣接建物ＢＤ２の案内スロープＢＤ２ｃと同様に、一対の隣接建物ＢＤ１，ＢＤ２が近接方向に相対変位したときに、可動天井部２０を一方の隣接建物ＢＤ１側で斜め上方に回動させる機能を有している。
【００２２】
平行クランク機構３０は、吊下げ部材１１と可動天井部２０とを連結する２つ（複数）のリンク部材３１を有して、可動天井部２０を一対の隣接建物ＢＤ１，ＢＤ２の間で揺動可能に吊下げ部材１１に支持させるものである。平行クランク機構３０を構成する２つのリンク部材３１は一対の隣接建物ＢＤ１，ＢＤ２の隣接方向にて互いに異なる位置に配置されている。リンク部材３１の一端部は吊下げ部材１１に回動可能に取り付けられ、リンク部材３１の他端部は可動天井部２０の野縁受け２１に回動可能に取り付けられている。なお、リンク部材３１の一端部と他端部には吊下げ部材１１と可動天井部２０の野縁受け２１に取り付けるため取付孔部が形成されており、リンク部材３１は取付孔部に挿通されたボルトやピン等を用いた回動軸によって吊下げ部材１１と可動天井部２０に回動可能に連結されている。リンク部材３１の両端部の取付孔部は長孔となっており、リンク部材３１は多少の遊びを介して吊下げ部材１１と可動天井部２０に取り付けられている。リンク部材３１が多少の遊びを介して吊下げ部材１１と可動天井部２０に取り付けられているため、可動天井部２０の取付施工時に多少の寸法の誤差が生じても、可動天井部２０は一対の隣接建物ＢＤ１，ＢＤ２の間で円滑に揺動するようになっている。なお、リンク部材３１の両端部の取付孔部を長孔としたものに限られるものでなく、吊下げ部材１１と野縁受け２１との少なくとも一方に長孔よりなる取付孔部を形成したものであってもよい。
【００２３】
図２に示したように、一対の隣接建物ＢＤ１，ＢＤ２の間が相対変位していないときには、可動天井部２０はリンク部材３１によって吊下げ部材１１に略鉛直方向下向きに吊り下げられている。図３に示したように、他方の隣接建物ＢＤ２が地震等によって揺れて、一対の隣接建物ＢＤ１，ＢＤ２が近接方向に相対変位して緩衝用の空間ＢＳが狭くなると、可動天井部２０は他方の隣接建物ＢＤ２の天井部ＢＤ２ａによって一方の隣接建物ＢＤ１側に押される。可動天井部２０は一方の隣接建物ＢＤ１側に斜め上方に揺動し、可動天井部２０の一方の隣接建物ＢＤ１側の一部は一方の隣接建物ＢＤ１の天井部ＢＤ１ａの上側の退避空間ＢＤ１ｂに退避して、一対の隣接建物ＢＤ１，ＢＤ２が近接する方向への変位が許容される。このとき、可動天井部２０は案内スロープ２３ａ、案内スロープＢＤ２ｃによって円滑に一方の隣接建物ＢＤ１側の斜め上方に揺動する。
【００２４】
図３に示したように、退避空間ＢＤ１ｂに退避した可動天井部２０は他方の隣接建物ＢＤ２の天井部ＢＤ２ａよりも高い位置となっており、隣接建物ＢＤ２の天井部ＢＤ２ａの上側の収納空間ＢＤ２ｂに収納可能な高さとなっている。図４に示したように、一対の隣接建物ＢＤ１，ＢＤ２が近接方向にさらに相対変位して緩衝用の空間ＢＳがさらに狭くなると、退避空間ＢＤ１ｂに退避した可動天井部２０の他方の隣接建物ＢＤ２側の一部は他方の隣接建物ＢＤ２の天井部ＢＤ２ａの上側の収納空間ＢＤ２ｂに収納され、一対の隣接建物ＢＤ１，ＢＤ２が近接する方向への変位がさらに許容される。このように、一方の隣接建物ＢＤ１の天井部ＢＤ１ａの上側に退避空間ＢＤ１ｂと、他方の隣接建物ＢＤ２の天井部ＢＤ２ａの上側に収納空間ＢＤ２ｂとを設けたことで、可動天井板２３は一方の隣接建物ＢＤ１の天井部ＢＤ１ａの上側と他方の隣接建物ＢＤ２の天井部ＢＤ２ａの上側との両方に収納されるため、一方と他方の隣接建物ＢＤ１，ＢＤ２の天井部ＢＤ１ａ，ＢＤ２ａの互いに対向する位置で突出する部分を短くすることができる。
【００２５】
また、図５に示したように、一対の隣接建物ＢＤ１，ＢＤ２が離間方向に相対変位して緩衝用の空間ＢＳが拡がると、可動天井部２０と他方の隣接建物ＢＤ２とが互いに離間して、一対の隣接建物ＢＤ１，ＢＤ２が離間する方向への変位が許容される。
【００２６】
上記のように構成した天井装置１０においては、一方の隣接建物ＢＤ１の躯体に固定され、一方の隣接建物ＢＤ１の天井部ＢＤ１ａより上側で緩衝用の空間ＢＳに配置される吊下げ部材１１と、一対の隣接建物ＢＤ１，ＢＤ２の天井部ＢＤ１ａ，ＢＤ２ａの間にて一対の隣接建物ＢＤ１，ＢＤ２の間を移動可能に配置される可動天井部２０と、吊下げ部材１１と可動天井部２０とを連結する複数のリンク部材３１を有して、可動天井部２０を一対の隣接建物ＢＤ１，ＢＤ２の間で揺動可能に吊下げ部材１１に支持させる平行クランク機構３０とを備えている。
【００２７】
一対の隣接建物ＢＤ１，ＢＤ２が近接方向に相対変位したときに、可動天井部２０は他方の隣接建物ＢＤ２の天井部ＢＤ２ａに押され、可動天井部２０が一方の隣接建物ＢＤ１側に揺動（移動）するが、可動天井部２０は平行クランク機構３０によって揺動（移動）するため、吊下げ部材１１には局部的な大きな負荷がかかりにくくなり、天井装置１０が破損しにくくなる。また、他方の隣接建物ＢＤ２の天井部ＢＤ２ａの一方の隣接建物ＢＤ１側の端部には、他方の隣接建物ＢＤ２から可動天井部２０に近づくにしたがって下側に傾斜する案内スロープＢＤ２ｃが設けられ、可動天井部２０の他方の隣接建物ＢＤ２側の端部には、他方の隣接建物ＢＤ２から可動天井部２０に近づくにしたがって下側に傾斜する案内スロープ２３ａが設けられている。これによって、可動天井部２０が他方の隣接建物ＢＤ２の天井部ＢＤ２ａに押されたときに、可動天井部２０は案内スロープＢＤ２ｃ、案内スロープ２３ａによって案内されて上側に押し上げられやすくすることができる。なお、他方の隣接建物ＢＤ２の天井部ＢＤ２ａの一方の隣接建物ＢＤ１側の端部と、可動天井部２０の他方の隣接建物ＢＤ２側の端部との一方だけに案内スロープを設けるようにしたものであってもよく、このようにしたときにも、同様の作用効果を得ることができる。なお、他方の隣接建物ＢＤ２の天井部ＢＤ２ａの一方の隣接建物ＢＤ１側の端部と、可動天井部２０の他方の隣接建物ＢＤ２側の端部との少なくとも一方に案内スロープを設けるようにしたものよりも可動天井部２０を押し上げにくくなるものの、他方の隣接建物ＢＤ２の天井部ＢＤ２ａの一方の隣接建物ＢＤ１側の端部と、可動天井部２０の他方の隣接建物ＢＤ２側の端部との両方の案内スロープを廃したものであっても、可動天井部２０を押し上げることができる。
【００２８】
また、天井装置１０は、一方の隣接建物ＢＤ１の天井部ＢＤ１ａの上側で緩衝用の空間ＢＳと連続して可動天井部２０を退避させる退避空間ＢＤ１ｂを備え、他方の隣接建物ＢＤ２の天井部ＢＤ２ａの上側で緩衝用の空間ＢＳと連続して可動天井部２０を収納する収納空間ＢＤ２ｂを備えている。一対の隣接建物ＢＤ１，ＢＤ２が近接方向に相対変位したときには、可動天井部２０の一方の隣接建物ＢＤ１側の一部は一方の隣接建物ＢＤ１の天井部ＢＤ１ａの上側の退避空間ＢＤ１ｂに退避移動して、一対の隣接建物ＢＤ１，ＢＤ２が近接する方向への変位が許容される。一対の隣接建物ＢＤ１，ＢＤ２が近接方向にさらに相対変位すると、退避空間ＢＤ１ｂに退避移動した可動天井部２０の他方の隣接建物ＢＤ２側の一部は他方の隣接建物ＢＤ２の天井部ＢＤ２ａの上側の収納空間ＢＤ２ｂに移動して、一対の隣接建物ＢＤ１，ＢＤ２が近接する方向への変位がさらに許容される。このように、一方の隣接建物ＢＤ１の天井部ＢＤ１ａの上側に退避空間ＢＤ１ｂと、他方の隣接建物ＢＤ２の天井部ＢＤ２ａの上側に収納空間ＢＤ２ｂとを設けたことで、可動天井板２３は一方の隣接建物ＢＤ１の天井部ＢＤ１ａの上側と他方の隣接建物ＢＤ２の天井部ＢＤ２ａの上側との両方に収納されるため、一方と他方の隣接建物ＢＤ１，ＢＤ２の天井部ＢＤ１ａ，ＢＤ２ａの互いに対向する位置で突出する部分を短くすることができる。
【００２９】
上記の実施形態の天井装置１０は、一対の隣接建物ＢＤ１，ＢＤ２が隣接する方向に同じ長さで、隣接する方向と直交する方向に離間して配置される３つの吊下げ部材１１と、各吊下げ部材１１に２つのリンク部材３１とを備え、３つの吊下げ部材１１と、各吊下げ部材１１に取り付けた２つのリンク部材３１によって可動天井部２０を吊り下げるようにしている。本発明はこれに限られるものではなく、吊下げ部材１１を２つ以上とし、各吊下げ部材１１に２つ以上のリンク部材３１を回動可能に支持させたものであってもよく、このようにしたときでも上述したのと同様の作用効果を得ることができる。さらに、次に示す変形例の天井装置１０としたときでも上述したのと同様の作用効果を得ることができる。
【００３０】
図６に示したように、第１変形例の天井装置１０の吊下げ部材１１は第１吊下げ部材１１ａと、一対の隣接建物ＢＤ１，ＢＤ２が隣接する方向と水平方向に直交する直交方向の第１吊下げ部材１１ａの両側で第１吊下げ部材１１ａと離間して配置される一対の第２吊下げ部材１１ｂを備えている。一対の第２吊下げ部材１１ｂは第１吊下げ部材１１ａよりも短くなっている。一対の第２吊下げ部材１１ｂにはリンク部材３１に含まれて一方の隣接建物ＢＤ１に近い位置で可動天井部２０を吊下げ部材１１に支持させる第１リンク部材３１ａと、第１吊下げ部材１１ａにはリンク部材３１に含まれて第１リンク部材３１ａより一方の隣接建物ＢＤ１に遠い位置で可動天井部２０を吊下げ部材１１に支持させる第２リンク部材３１ｂとを備えたものであってもよい。このように、第１吊下げ部材１１ａの第２リンク部材３１ｂと、第２吊下げ部材１１ｂの第１リンク部材３１ａとにより平行クランク機構３０を構成するようにしたものであってもよい。
【００３１】
図７に示したように、第２変形例の天井装置１０の吊下げ部材１１は第１吊下げ部材１１ａと、一対の隣接建物ＢＤ１，ＢＤ２が隣接する方向と水平方向に直交する直交方向の第１吊下げ部材１１ａの両側で第１吊下げ部材１１ａと離間して配置される一対の第２吊下げ部材１１ｂを備えている。第１吊下げ部材１１ａは一対の第２吊下げ部材１１ｂよりも短くなっている。第１吊下げ部材１１ａにはリンク部材３１に含まれて一方の隣接建物ＢＤ１に近い位置で可動天井部２０を吊下げ部材１１に支持させる第１リンク部材３１ａと、一対の第２吊下げ部材１１ｂにはリンク部材３１に含まれて第１リンク部材３１ａより一方の隣接建物ＢＤ１に遠い位置で可動天井部２０を吊下げ部材１１に支持させる第２リンク部材３１ｂとを備えたものであってもよい。このように、第１吊下げ部材１１ａの第１リンク部材３１ａと、第２吊下げ部材１１ｂの第２リンク部材３１ｂとにより平行クランク機構３０を構成するようにしたものであってもよい。
【００３２】
図６及び図７に示した第１及び第２変形例の天井装置１０であれば、第１吊下げ部材１１ａまたは第２吊下げ部材１１ｂの長さを短くすることができるとともに、リンク部材３１の本数を少なくすることができ、上述した実施形態の天井装置１０よりもコストを低く抑えることができるようになる。
【００３３】
上記の実施形態の天井装置１０は、緩衝用の空間ＢＳを介して隣接して、水平方向に揺動せずに立設する一方の隣接建物ＢＤ１と、水平方向に揺動可能に立設する他方の隣接建物ＢＤ２（一対の隣接建物ＢＤ１，ＢＤ２）の天井部ＢＤ１ａ，ＢＤ２ａの間を覆うものであるが、本発明はこれに限られるものでなく、緩衝用の空間ＢＳを介して隣接して、水平方向に揺動可能に立設する一方の隣接建物ＢＤ１と、水平方向に揺動せずに立設する他方の隣接建物ＢＤ２（一対の隣接建物ＢＤ１，ＢＤ２）の天井部ＢＤ１ａ，ＢＤ２ａの間を覆うものや、、緩衝用の空間ＢＳを介して隣接して、水平方向に揺動可能に立設する一方の隣接建物ＢＤ１と、水平方向に揺動可能に立設する他方の隣接建物ＢＤ２（一対の隣接建物ＢＤ１，ＢＤ２）の天井部ＢＤ１ａ，ＢＤ２ａの間を覆う、すなわち、緩衝用の空間ＢＳを介して隣接して、両方が水平方向に揺動可能に立設する一対の隣接建物ＢＤ１，ＢＤ２の天井部ＢＤ１ａ，ＢＤ２ａの間を覆うものであってもよい。
【符号の説明】
【００３４】
１０…天井装置、１１…吊下げ部材、１１ａ…第１吊下げ部材、１１ｂ…第２吊下げ部材、２０…可動天井部、２３…可動天井板、２３ａ…案内スロープ、３０…平行クランク機構、３１…リンク部材、３１ａ…第１リンク部材、３１ｂ…第２リンク部材、ＢＤ１…一方の隣接建物、ＢＤ１ａ…天井部、ＢＤ１ｂ…退避空間、ＢＤ２…他方の隣接建物、ＢＤ２ａ…天井部、ＢＤ２ｂ…収納空間、ＢＤ２ｃ…案内スロープ、ＢＳ…緩衝用の空間。
【図１】
2020200688.tif 000003
【図２】
2020200688.tif 000004
【図３】
2020200688.tif 000005
【図４】
2020200688.tif 000006
【図５】
2020200688.tif 000007
【図６】
2020200688.tif 000008
【図７】
2020200688.tif 000009